(57)【要約】【課題】暖房装置を使用する際の加湿を効率的に行う。【解決手段】暖房装置（1）は、本体ケーシング（3）内部に配設された放熱部（4）と、放熱部（4）背面の本体ケーシング（3）内に配設された反射板（5）と、本体ケーシング（3）の前面に取り付けられたグリル（6）とを備えている。本体ケーシング（3）に、噴霧溶液を霧化させ且つ帯電させた状態で噴霧する静電噴霧部（11）を取り付ける。本体ケーシング（3）、反射板（5）及びグリル（6）の少なくとも外表面をそれぞれ絶縁部材で構成する。【選択図】図１
2009186156.tif 000002
【特許請求の範囲】
【請求項１】
本体ケーシング（3）内部に配設された放熱部（4）と、該放熱部（4）背面の本体ケーシング（3）内に配設された反射板（5）と、上記本体ケーシング（3）の前面に取り付けられたグリル（6）とを備えた暖房装置であって、
上記本体ケーシング（3）に、噴霧溶液を霧化させ且つ帯電させた状態で噴霧する静電噴霧部（11）が取り付けられ、
上記本体ケーシング（3）、反射板（5）及びグリル（6）の少なくとも外表面はそれぞれ絶縁部材で構成されていることを特徴とする暖房装置。
【請求項２】
請求項１の暖房装置において、
上記反射板（5）及びグリル（6）の絶縁部材は、透明のセラミック薄膜からなることを特徴とする暖房装置。
【請求項３】
請求項１又は２の暖房装置において、
上記静電噴霧部（11）は、噴霧方向を調整する角度調整機構（31）を備えていることを特徴とする暖房装置。
【発明の詳細な説明】
【技術分野】
【０００１】
本発明は、暖房装置に関し、室内の乾燥対策に係るものである。
【背景技術】
【０００２】
従来より、暖房装置として、クリーンで、周りの温度や風の影響を受けない輻射暖房方式の遠赤外線暖房装置は知られている（例えば、特許文献１参照）。
【０００３】
上記遠赤外線暖房装置は、本体ケーシングの内部に遠赤外線輻射ヒータが配設され、ヒータの後面には遠赤外線を効率よく反射させるために反射板が設けられている。また、暖房機本体の前面には、格子状又は網状のグリルが取り付けられている。
【０００４】
近年は、遠赤外線暖房装置の性能や省エネ性が評価され、住宅に使用するコンパクトな遠赤外線暖房装置も普及されている。
【特許文献１】特開２００５−４８９９９号公報
【発明の開示】
【発明が解決しようとする課題】
【０００５】
ところで、冬場の暖房時期には、室内が乾燥しやすいため、室内を加湿するニーズが高い。そこで、例えば、液体を帯電させて人の顔などに噴霧する静電噴霧装置を併用し、室内の加湿も行うことが考えられる。
【０００６】
しかし、一般的な暖房装置では、本体ケーシングや反射板、グリルなどは、熱を吸収しないように熱に強い金属で構成されている。そして、静電噴霧装置によって噴霧される水分は帯電しているため、暖房装置の近くに静電噴霧装置を置くと、水分が金属の本体ケーシングや反射板、グリルに引き寄せられてしまい、効率的な加湿が困難であるとともに、静電噴霧装置としての機能も阻害されてしまうという問題がある。
【０００７】
本発明は、かかる点に鑑みてなされたものであり、その目的とするところは、暖房装置を使用する際の加湿を効率的に行うことにある。
【課題を解決するための手段】
【０００８】
上記目的を達成するために、第１の発明に係る暖房装置（1）は、本体ケーシング（3）内部に配設された放熱部（4）と、該放熱部（4）背面の本体ケーシング（3）内に配設された反射板（5）と、上記本体ケーシング（3）の前面に取り付けられたグリル（6）とを備えた暖房装置であって、上記本体ケーシング（3）に、噴霧溶液を霧化させ且つ帯電させた状態で噴霧する静電噴霧部（11）が取り付けられ、上記本体ケーシング（3）、反射板（5）及びグリル（6）の少なくとも外表面はそれぞれ絶縁部材で構成されている。
【０００９】
上記の構成によると、暖房装置（1）の放熱部（4）から出た熱が、本体ケーシング（3）に取り付けられたグリル（6）を介して前方に向かって放熱される。一方、静電噴霧部（11）から微細な水滴が帯電した状態で噴霧される。このとき、本体ケーシング（3）や反射板（5）、グリル（6）は、少なくとも外表面が絶縁部材で構成されているので、帯電した水滴がこれらに引き寄せられずに、吹き出された方向に噴霧される。
【００１０】
ここで、外表面とは、本体ケーシング（3）、反射板（5）及びグリル（6）のそれぞれの表に表れている部分をさし、本体ケーシング（3）の内部や、グリル（6）の後面側も含むものとする。本体ケーシング（3）、反射板（5）及びグリル（6）は、その本体が熱に強い金属で構成され、本体の外表面に絶縁部材が設けられていてもよいし、全体が熱に強い絶縁部材で構成されてもよい。
【００１１】
第２の発明に係る暖房装置（1）は、上記第１の発明に係る暖房装置（1）において、上記反射板（5）及びグリル（6）の絶縁部材は、透明のセラミック薄膜からなる。
【００１２】
上記の構成によると、セラミック薄膜は、絶縁性及び耐熱性を有する。このため、放熱部（4）の前後に配設される反射板（5）及びグリル（6）の絶縁部材が、このセラミック薄膜からなることで、反射板（5）及びグリル（6）に要求される耐熱性を満たすとともに、静電噴霧部（11）から噴霧される帯電した水滴が引き寄せることもない。
【００１３】
また、放熱部（4）が遠赤外線を輻射するものである場合には、セラミック薄膜が透明であるため、反射板（5）及びグリル（6）による遠赤外線の反射を阻害しない。
【００１４】
第３の発明に係る暖房装置は、上記第１又は第２の発明に係る暖房装置において、上記静電噴霧部（11）は、噴霧方向を調整する角度調整機構（31）を備えている。
【００１５】
上記の構成によると、角度調整機構（31）によって、静電噴霧部（11）から吹き出る微細な水滴の吹き出る方向を調整できる。
【発明の効果】
【００１６】
上記第１の発明によれば、本体ケーシング（3）、反射板（5）及びグリル（6）は、少なくとも外表面を絶縁部材で構成したので、静電噴霧部（11）から噴霧される帯電した溶液がこれらに引き寄せられないので、暖房装置（1）を使用する際の加湿を効率的に行うことができるとともに、静電噴霧部（11）から噴霧される液体を人等の対象物に向かって噴霧することができる。
【００１７】
上記第２の発明によれば、絶縁性及び耐熱性を有するセラミック薄膜で反射板（5）及びグリル（6）の絶縁部材を構成したので、反射板（5）及びグリル（6）に要求される耐熱性を満たすことができるとともに、静電噴霧部（11）から噴霧される帯電した水滴が引き寄せられず、暖房装置を使用する際の加湿も効率的に行うことができる。
【００１８】
また、放熱部（4）が遠赤外線を輻射するものである場合には、セラミック薄膜が透明であるため、反射板（5）及びグリル（6）による遠赤外線の反射を阻害しないので、遠赤外線による暖房効果を維持することができる。
【００１９】
上記第３の発明によれば、静電噴霧部（11）に角度調整機構（31）を設けたので、噴霧溶液の噴霧方向を変えることができる。これにより、帯電した水滴を異なる位置の対象物に向かって噴霧することができる。
【発明を実施するための最良の形態】
【００２０】
以下、本発明の実施形態を図面に基づいて詳細に説明する。
【００２１】
図１及び図２に示すように、本発明の実施形態に係る暖房装置（1）は、床面等に載置される基台（2）と、この基台（2）の上部に取り付けられた暖房装置本体（40）と、暖房装置本体（40）の上部に取り付けられた静電噴霧部（11）とを備えている。この暖房装置（1）は、比較的小空間を暖房するための小型のものである。
【００２２】
本実施形態の暖房装置（1）は、人や室内を暖める機能を有する暖房装置本体（40）と、噴霧溶液を霧化させ、且つ帯電させた状態で噴霧する機能を有する静電噴霧部（11）とを併せ持ち、これらを別々に機能させることもできるし、併用することもできるものである。
【００２３】
上記暖房装置本体（40）は、前面と両側面前側部分が開口した開口部（3a）を有する本体ケーシング（3）と、この本体ケーシング（3）内に立設された放熱部としての３本の棒状ヒータ（4）と、本体ケーシング（3）内のヒータ（4）の背面に設けられた反射板（5）と、本体ケーシング（3）の開口部（3a）に取り付けられたグリル（6）とを備えている。
【００２４】
上記ヒータ（4）は遠赤外線を輻射するものであり、本実施形態の暖房装置（1）は、遠赤外線を輻射することによって暖房する遠赤外線方式の暖房装置（1）である。
【００２５】
上記本体ケーシング（3）は、金属製の板の外表面に、その全面に亘って絶縁部材としての絶縁性の塗料が塗布されて構成されている。
【００２６】
また、上記反射板（5）は、本体ケーシング（3）内に熱がこもるのを防止して前面側に向けて遠赤外線を反射させるためのものであり、光沢のある金属製の板の外表面に絶縁部材としての透明のセラミック薄膜がコーティングされている。なお、この反射板（5）には、前面側のみにセラミック薄膜がコーティングされていてもよい。
【００２７】
また、上記グリル（6）は、光沢のある金属製の複数の棒で網状に構成されている。このグリル（6）の各棒の外表面にも絶縁部材としての透明のセラミック薄膜がコーティングされている。
【００２８】
上記静電噴霧部（11）は、上記本体ケーシング（3）の上部に設けられ、噴霧溶液である液体を霧化させると共に、該液体に電圧を付与して帯電させる帯電霧化手段である帯電霧化機構（10）と、帯電霧化機構（10）を暖房装置本体（40）の本体ケーシング（3）に取り付けるための取付部材である取付台（30）とを有している。
【００２９】
図３に示すように、上記帯電霧化機構（10）は、上側本体部（20a）及び下側本体部（20b）が上下一体で形成される噴霧本体部（20）と、該噴霧本体部（20）の下部に取り付けられる取付台（30）とを備えている。
【００３０】
上記上側本体部（20a）は、矩形の箱状に形成され、その内部に、液体が充填された容器（21）と、この容器（21）に挿入されるノズル（22）と、容器（21）内の液体をノズルに供給する液搬送機構（23）と、上記ノズルの先端に電界を形成する電界形成機構（26）と、電界形成機構（26）及び上記液搬送機構（23）を制御するコントローラ（28）とが収容されている。
【００３１】
上記ノズル（22）は、容器（21）の液体を外部に噴霧させるためのものである。ノズル（22）は、後端から先端に亘って内径が一様なチューブ状に形成され、後端が容器（21）の内部で開口する一方、先端が上側本体部（20a）の外部で開口している。
【００３２】
上記液搬送機構（23）は、モータ部（25）が取り付けられたピストン（24）を備え、このピストン（24）が、シリンダである容器（21）内に設けられている。つまり、液搬送機構（23）は、ピストン（24）を、容器（21）内において移動させることで、容器（21）内の液体をノズル（22）に供給するように構成されている。
【００３３】
上記電界形成機構（26）は、線材（27）によってノズル（22）と電気的に接続された電源を有している。つまり、電界形成機構（26）は、電源が、電池からの出力電圧を高電圧に変換し、この高電圧を線材（27）を介してノズル（22）に供給することで、このノズル（22）の先端に電界を形成するよう構成されている。
【００３４】
上記コントローラ（28）は、上記液搬送機構（23）及び電界形成機構（26）に接続されて、それぞれを制御している。まず、液搬送機構（23）においては、ノズル（22）に対する容器（21）内の液体の供給量を調整している。具体的には、ピストン（24）に接続されるモータ部（25）の回転数を制御することで、容器（21）内でのピストン（24）の移動量を制御している。これにより、ノズル（22）に供給する液体量を調整している。次に、電界形成機構（26）においては、電源から出力される電圧を調整している。具体的には、出力される電圧値と、電圧印加のＯＮ及びＯＦＦとを制御している。
【００３５】
上記下側本体部（20b）は、その外形が半球状に形成され、上側本体部（20a）の下側に取り付けられている。
【００３６】
上記取付台（30）は、上記帯電霧化機構（10）を暖房装置本体（40）の本体ケーシング（3）の上部に取り付けるためのものである。取付台（30）は、略直方体状の箱体に形成され、上面に、上記下側本体部（20b）の下面に対応した碗状の凹部が形成されている。これにより、取付台（30）の上面凹部に下側本体部（20b）を嵌め合わせることで、ノズル（22）の噴霧角度を調整することができる。つまり、取付台（30）及び下側本体部（20b）は、角度調整機構（31）を構成している。
【００３７】
（運転動作）
本実施形態の暖房装置（1）の電源（図示せず）をＯＮにすると、各ヒータ（4）から遠赤外線が輻射される。各ヒータ（4）から輻射された遠赤外線は、本体ケーシング（3）の前方に向かうとともに、各ヒータ（4）の背面に配設された反射板（5）や前面に配設されたグリル（6）で反射される。ここで、反射板（5）及びグリル（6）が透明のセラミック薄膜でコーティングされているので、本体ケーシング（3）内に熱がこもらないように、赤外線が効果的に反射されて、室内が暖房される。
【００３８】
次に上記静電噴霧部（11）の動作について説明する。
【００３９】
まず、静電噴霧部（11）の電源スイッチ（図示なし）をＯＮにすると、ノズル（22）に電界が形成されるとともに、溶液が容器（21）から単位時間当たりにわずかな量ずつ送り出されてノズル（22）の先端に移動する。ここで、電源からノズル（22）を介してノズル（22）内の液体に電荷が付与されるため、液体が分極し、ノズル（22）の先端の気液界面の近傍に例えば＋（プラス）の電荷が集まる。そして、ノズル（22）の先端では、気液界面が引き延ばされて円錐状となり、この円錐状となった気液界面の頂部から一部の液体が引きちぎられて液滴化する。この作用が繰り返し発生してノズル（22）から液体の液滴が噴霧される。
【００４０】
そして、噴霧溶液を噴霧する対象物がある場合には、ノズル（22）から噴霧される液体が人の顔等の対象物に向かうように、角度調整機構（31）で噴霧本体部（20）の角度を調整する。
【００４１】
（実施形態の効果）
本実施形態の暖房装置においては、本体ケーシング（3）、反射板（5）及びグリル（6）は、外表面を絶縁部材で構成したので、静電噴霧部（11）から噴霧される帯電した溶液がこれらに引き寄せられず、暖房装置（1）を使用する際の加湿を効果的に行うことができるとともに、静電噴霧部（11）から噴霧される液体を人等の対象物に向かって噴霧することができる。
【００４２】
また、絶縁性及び耐熱性を有するセラミック薄膜で反射板（5）及びグリル（6）の絶縁部材を構成したので、反射板（5）及びグリル（6）に要求される耐熱性を満たすことができるとともに、静電噴霧部（11）から噴霧される帯電した水滴が反射板（5）及びグリル（6）に引き寄せられず、暖房装置を使用する際の加湿も効率的に行うことができる。
【００４３】
また、セラミック薄膜を透明のものとしたので、ヒータ（4）が遠赤外線を輻射したとき、光沢のある反射板（5）及びグリル（6）で遠赤外線が反射されるので、暖房効果が向上する。
【００４４】
また、静電噴霧部（11）に角度調整機構（31）を設けたので、噴霧溶液の噴霧方向を変えることができる。これにより、帯電した水滴を、異なる位置の対象物に向かって噴霧することができる。
【００４５】
また、静電噴霧部（11）が暖房装置本体（40）の上部に設けられているため、暖房装置本体（40）で下側から暖房することができるとともに、人の顔等の対象物に上側から液体を噴霧することができる。
【００４６】
（その他の実施形態）
なお、上述の実施形態は、本発明の例示であって、本発明はこの例に限定されるものではない。例えば、以下のような構成としてもよい。
【００４７】
すなわち、上記実施形態では、暖房装置（1）のヒータ（4）は、遠赤外線を輻射するものとしたが、ヒータ（4）の放熱方式はこれに限定しなくてもよい。
【００４８】
また、上記実施形態では、本体ケーシング（3）、反射板（5）及びグリル（6）は、それぞれ本体を金属で構成し、その表面に絶縁部材として絶縁性の塗料や、透明のセラミック薄膜を設けたが、それぞれの本体は金属で構成されていなくてもよい。また、本体ケーシング（3）、反射板（5）及びグリル（6）は少なくとも外表面が絶縁部材で構成されていればよく、絶縁部材の種類は限定されない。
【００４９】
また、静電噴霧装置（30）は、霧化させ且つ帯電させた噴霧溶液を噴霧するものであれば、どのような構成のものでもよい。
【産業上の利用可能性】
【００５０】
以上説明したように、本発明は、暖房装置に関し、室内の乾燥対策について有用である。
【図面の簡単な説明】
【００５１】
【図１】本発明の実施形態に係る暖房装置の正面図である。
【図２】暖房装置の側面図である。
【図３】（Ａ）は静電噴霧部を示す概略断面図であり、（Ｂ）は（Ａ）に係る静電噴霧部の噴霧角度を変えた概略断面図である。
【符号の説明】
【００５２】
１    暖房装置
３    本体ケーシング
４    ヒータ（放熱部）
５    反射板
６    グリル
１１  静電噴霧部
３１  角度調整機構
【図１】
2009186156.tif 000003
【図２】
2009186156.tif 000004
【図３】
2009186156.tif 000005